(57)【要約】【課題】ホログラフィック記録再生方法において、再生時に安価なレーザダイオードを用いることができるようにする。【解決手段】ホログラフィック再生装置４０は、レーザダイオード４２から出射される再生用レーザ光の縦モード波形をマルチモード化し、その発振波長の１つが記録時にレーザ光の波長と略一致するように制御する。【選択図】図３
2005084298.tif 000002
【特許請求の範囲】
【請求項１】
固体レーザ、ガスレーザ、面発光レーザ、シングルモード発振のレーザダイオードのいずれかからのレーザ光を物体光及び参照光に分岐し、物体光を、振幅空間光変調器により、記録すべき情報に応じて変調し、参照光と共にホログラフィック記録媒体に照射して干渉縞を記録し、記録の再生時には、再生用レーザダイオードから出射される再生用レーザ光の縦モード波形をマルチモード化し、その発振波長の一つが、前記記録時のレーザ光の波長と略一致するように、前記再生用レーザ光波長の、前記記録時のレーザ光波長からの偏差に応じて制御することを特徴とするホログラフィック記録再生方法。
【請求項２】
請求項１において、高周波重畳法により、前記再生用レーザダイオードによる再生用レーザ光の発振過渡特性を利用して、その縦モード波形をマルチモード化することを特徴とするホログラフィック記録再生方法。
【請求項３】
請求項２において、前記記録時はシングルモード発振のレーザダイオードを用い、このレーザダイオードをマルチモード発振させて再生用レーザダイオードとして用いることを特徴とするホログラフィック記録再生方法。
【請求項４】
請求項２又は３において、前記干渉縞の記録時は、前記参照光を、位相空間光変調器における一部のピクセルを変調ピクセルとしてその位相を変調させることにより空間変調し、記録されるデータページのアドレスとなる位相分布を与えて、位相コード多重記録とし、記録再生時には、前記再生用レーザ光を、再生用位相空間光変調器により記録時と同じ位相パターンとなるように空間変調して、前記ホログラフィック記録媒体を照射し、発生した回折光量を検出し、この検出光量が最大となるように、前記再生用位相空間光変調器における変調ピクセルの単位を変化させることを特徴とするホログラフィック記録再生方法。
【請求項５】
記録すべき情報に応じて振幅空間光変調器により変調された物体光と、位相空間光変調器により記録されるデータページのアドレスとなる位相分布を与えられた参照光との干渉縞が記録されたホログラフィック記録媒体に、前記参照光と同一波長の再生用レーザ光を照射して、発生した回折光により前記情報を再生させるホログラフィック再生装置であって、
前記参照光の波長を含む波長帯域の再生用レーザ光を出射するレーザダイオードと、
このレーザダイオードの出射する再生用レーザ光の縦モード波形をマルチモード化するスペクトル制御装置と、
前記ホログラフィック記録媒体を透過した再生用レーザ光の光量を検出する光検出器と、
を有してなり、
前記スペクトル制御装置は、前記光検出器により検出された透過光の光量が最小となるように、前記再生用レーザ光の縦モード波形を制御するようにされた
ことを特徴とするホログラフィック再生装置。
【請求項６】
請求項５において、前記スペクトル制御装置は、前記レーザダイオードによる再生用レーザ光の発振過渡特性を利用して、その縦モード波形をマルチモード化する高周波重畳回路であることを特徴とするホログラフィック再生装置。
【請求項７】
請求項５において、前記再生用レーザ光を、記録時の参照光と同じ位相パターンとなるように空間変調する再生用位相空間光変調器が設けられ、
前記スペクトル制御装置は、前記回折光量が最大となるように、前記再生用位相空間光変調器における変調ピクセルの単位を変化させるようにされたピクセル制御装置であることを特徴とするホログラフィック再生装置。
【請求項８】
固体レーザ、ガスレーザ、面発光レーザ、シングルモード発振のレーザダイオードのいずれかからなる記録用レーザ光源と、この記録用レーザ光源からのレーザ光を分岐した物体光及び参照光をホログラフィック記録媒体に導く物体光学系及び参照光学系と、前記物体光学系に設けられ、物体光を、記録すべき情報に応じて変調する振幅空間光変調器と、前記参照光学系に配置され、参照光に記録されるデータページのアドレスとなる位相分布を与える位相空間光変調器と、前記物体光と参照光との干渉縞が記録されたホログラフィック記録媒体に、前記参照光学系を介して、前記参照光と同一波長の再生用レーザ光を照射して、発生した回折光により記録を再生させるホログラフィック記録再生装置であって、
前記参照光の波長を含む波長帯域の再生用レーザ光を出射する再生用レーザダイオードと、
この再生用レーザダイオードの出射する再生用レーザ光の縦モード波形をマルチモード化するスペクトル制御装置と、
前記ホログラフィック記録媒体を透過した再生用レーザ光の光量を検出する光検出器と、
を有してなり、
前記スペクトル制御装置は、前記光検出器により検出された透過光の光量が最小となるように、前記再生用レーザ光の縦モード波形を制御するようにされた
ことを特徴とするホログラフィック記録再生装置。
【請求項９】
請求項８において、前記スペクトル制御装置は、前記再生用レーザダイオードによる再生用レーザ光の発振過渡特性を利用して、その縦モード波形をマルチモード化する高周波重畳回路であることを特徴とするホログラフィック記録再生装置。
【請求項１０】
請求項８において、前記位相空間光変調器は前記再生用レーザ光を、記録時の参照光と同じ位相パターンとなるように空間変調するようにされ、
前記スペクトル制御装置は、前記回折光量が最大となるように、前記位相空間光変調器における変調ピクセルの単位を変化させるようにされたピクセル制御装置であることを特徴とするホログラフィック記録再生装置。
【請求項１１】
請求項８、９又は１０において、前記記録用レーザ光源は、シングルモード発振のレーザダイオードとされ、前記再生用レーザダイオードは前記記録レーザ光源が兼ね、且つ、これをマルチモード発振させて再生用レーザ光を出射させるようにしたことを特徴とするホログラフィック記録再生装置。
【発明の詳細な説明】
【技術分野】
【０００１】
この発明は、物体光と参照光とをホログラフィック記録媒体に照射して干渉縞を記録するためのホログラフィック記録再生方法、ホログラフィック再生装置及びホログラフィック記録再生装置に関する。
【背景技術】
【０００２】
従来のこの種ホログラフィック記録再生方法あるいはホログラフィック記録再生装置は、記録と再生を同一のレーザ光源からのレーザ光によりなされている。又、波長多重記録の場合は、ホログラム単位で、同一光源・同一特性のレーザ光により記録再生している。
【発明の開示】
【発明が解決しようとする課題】
【０００３】
上記のように、従来のホログラフィック記録再生方法では、記録と再生において同一のレーザ光源を用いているが、このレーザ光源として、固体レーザやガスレーザを用いた場合、記録時におけるレーザ光のコヒーレンシー（coheremcy）とレーザパワーの点で良好な特性が得られるが、大型且つ高価であり、又、記録再生装置が量産向きでないという問題点がある。
【０００４】
又、レーザ光源としてレーザダイオードを用いた場合は、小型且つ安価であり、記録再生装置が量産向きではあるが、記録時のレーザ光のコヒーレンシーとパワーの点で性能が劣るという問題点がある。
【０００５】
この発明は、上記問題点に鑑みてなされたものであって、ホログラフィック記録の再生時に、十分なコヒーレンシーとパワーを保持しつつ、レーザダイオードのレーザ光によって再生像を得ることができるようにしたホログラフィック記録再生方法、ホログラフィック再生装置及びホログラフィック記録再生装置を提供することを目的とする。
【課題を解決するための手段】
【０００６】
本発明者は、鋭意研究の結果、レーザダイオードをマルチモード発振させて、再生用レーザ光の一部の波長を、記録時のレーザ光と一致させるようにして、記録再生時に十分なコヒーレンシーとパワーを得ることができることが分かった。
【０００７】
即ち、以下の本発明により上記課題を解決することができる。
【０００８】
（１）固体レーザ、ガスレーザ、面発光レーザ、シングルモード発振のレーザダイオードのいずれかからのレーザ光を物体光及び参照光に分岐し、物体光を、振幅空間光変調器により、記録すべき情報に応じて変調し、参照光と共にホログラフィック記録媒体に照射して干渉縞を記録し、記録の再生時には、再生用レーザダイオードから出射される再生用レーザ光の縦モード波形をマルチモード化し、その発振波長の一つが、前記記録時のレーザ光の波長と略一致するように、前記再生用レーザ光波長の、前記記録時のレーザ光波長からの偏差に応じて制御することを特徴とするホログラフィック記録再生方法。
【０００９】
（２）高周波重畳法により、前記再生用レーザダイオードによる再生用レーザ光の発振過渡特性を利用して、その縦モード波形をマルチモード化することを特徴とする（１）のホログラフィック記録再生方法。
【００１０】
（３）前記記録時はシングルモード発振のレーザダイオードを用い、このレーザダイオードをマルチモード発振させて再生用レーザダイオードとして用いることを特徴とする（２）のホログラフィック記録再生方法。
【００１１】
（４）前記干渉縞の記録時は、前記参照光を、位相空間光変調器における一部のピクセルを変調ピクセルとしてその位相を変調させることにより空間変調し、記録されるデータページのアドレスとなる位相分布を与えて、位相コード多重記録とし、記録再生時には、前記再生用レーザ光を、再生用位相空間光変調器により記録時と同じ位相パターンとなるように空間変調して、前記ホログラフィック記録媒体を照射し、発生した回折光量を検出し、この検出光量が最大となるように、前記再生用位相空間光変調器における変調ピクセルの単位を変化させることを特徴とする（２）又は（３）のホログラフィック記録再生方法。
【００１２】
（５）記録すべき情報に応じて振幅空間光変調器により変調された物体光と、位相空間光変調器により記録されるデータページのアドレスとなる位相分布を与えられた参照光との干渉縞が記録されたホログラフィック記録媒体に、前記参照光と同一波長の再生用レーザ光を照射して、発生した回折光により前記情報を再生させるホログラフィック再生装置であって、前記参照光の波長を含む波長帯域の再生用レーザ光を出射するレーザダイオードと、このレーザダイオードの出射する再生用レーザ光の縦モード波形をマルチモード化するスペクトル制御装置と、前記ホログラフィック記録媒体を透過した再生用レーザ光の光量を検出する光検出器と、を有してなり、前記スペクトル制御装置は、前記光検出器により検出された透過光の光量が最小となるように、前記再生用レーザ光の縦モード波形を制御するようにされたことを特徴とするホログラフィック再生装置。
【００１３】
（６）前記スペクトル制御装置は、前記レーザダイオードによる再生用レーザ光の発振過渡特性を利用して、その縦モード波形をマルチモード化する高周波重畳回路であることを特徴とする（５）のホログラフィック再生装置。
【００１４】
（７）前記再生用レーザ光を、記録時の参照光と同じ位相パターンとなるように空間変調する再生用位相空間光変調器が設けられ、前記スペクトル制御装置は、前記回折光量が最大となるように、前記再生用位相空間光変調器における変調ピクセルの単位を変化させるようにされたピクセル制御装置であることを特徴とする（５）のホログラフィック再生装置。
【００１５】
（８）固体レーザ、ガスレーザ、面発光レーザ、シングルモード発振のレーザダイオードのいずれかからなる記録用レーザ光源と、この記録用レーザ光源からのレーザ光を分岐した物体光及び参照光をホログラフィック記録媒体に導く物体光学系及び参照光学系と、前記物体光学系に設けられ、物体光を、記録すべき情報に応じて変調する振幅空間光変調器と、前記参照光学系に配置され、参照光に記録されるデータページのアドレスとなる位相分布を与える位相空間光変調器と、前記物体光と参照光との干渉縞が記録されたホログラフィック記録媒体に、前記参照光学系を介して、前記参照光と同一波長の再生用レーザ光を照射して、発生した回折光により記録を再生させるホログラフィック記録再生装置であって、前記参照光の波長を含む波長帯域の再生用レーザ光を出射する再生用レーザダイオードと、この再生用レーザダイオードの出射する再生用レーザ光の縦モード波形をマルチモード化するスペクトル制御装置と、前記ホログラフィック記録媒体を透過した再生用レーザ光の照射に基づき前記干渉縞により発生した透過光の光量を検出する光検出器と、を有してなり、前記スペクトル制御装置は、前記光検出器により検出された回折光の光量が最小となるように、前記再生用レーザ光の縦モード波形を制御するようにされたことを特徴とするホログラフィック記録再生装置。
【００１６】
（９）前記スペクトル制御装置は、前記再生用レーザダイオードによる再生用レーザ光の発振過渡特性を利用して、その縦モード波形をマルチモード化する高周波重畳回路であることを特徴とする（８）のホログラフィック記録再生装置。
【００１７】
（１０）前記位相空間光変調器は前記再生用レーザ光を、記録時の参照光と同じ位相パターンとなるように空間変調するようにされ、前記スペクトル制御装置は、前記回折光量が最大となるように、前記位相空間光変調器における変調ピクセルの単位を変化させるようにされたピクセル制御装置であることを特徴とする（８）のホログラフィック記録再生装置。
【００１８】
（１１）前記記録用レーザ光源は、シングルモード発振のレーザダイオードとされ、前記再生用レーザダイオードは前記記録レーザ光源が兼ね、且つ、これをマルチモード発振させて再生用レーザ光を出射させるようにしたことを特徴とする（８）、（９）又は（１０）のホログラフィック記録再生装置。
【発明を実施するための最良の形態】
【００１９】
ホログラフィック記録の際に、固体レーザ、ガスレーザ、面発光レーザ、シングルモード発振のレーザダイオードのいずれかのレーザ光を用いて記録し、記録再生時には、再生用レーザダイオードから出射される再生用レーザ光の縦モード波形をマルチモード化し、その発振波長の１つが記録時のレーザ光の波長と略一致するように、再生用レーザ光波長を、高周波重畳法により制御して上記目的を達成する。
【実施例１】
【００２０】
以下、図１〜図３を参照して、本発明の実施例１について説明する。
【００２１】
図１は、本発明のホログラフィック記録再生方法において、ホログラフィック記録媒体１２にホログラフィック記録するための記録光学系１０を示す。この記録光学系１０は、固体レーザ、ガスレーザ、面発光レーザのいずれかからなる記録用レーザ光源１４と、この記録用レーザ光源１４から出射されたレーザ光を分岐した一部を参照光として前記ホログラフィック記録媒体１２に導くための参照光学系１６と、分岐されたレーザ光の残りを物体光として前記ホログラフィック記録媒体１２に導くための物体光学系１８とを備えて構成されている。
【００２２】
前記記録用レーザ光源１４からのレーザ光は、偏光ビームスプリッタ２０により例えばｓ偏光成分が反射されて、参照光として前記参照光学系１６に入射し、又ｐ偏光成分が偏光ビームスプリッタ２０を透過して、物体光として前記物体光学系１８に入射するようにされている。
【００２３】
前記参照光学系１６には、前記偏光ビームスプリッタ２０側から、１／２波長板２２、位相空間光変調器２４、フーリエレンズ２６がこの順で配置されている。
【００２４】
又、前記物体光学系１８には、偏光ビームスプリッタ２０側から、振幅空間光変調器２８とフーリエレンズ３０とがこの順で配置されている。
【００２５】
又、ホログラフィック記録媒体１２に照射された物体光と参照光とにより生じた回折光は、逆フーリエレンズ３２を通ってＣＣＤ３４に導かれ、記録状態をモニタできるようにされている。
【００２６】
前記物体光学系１８における前記振幅空間光変調器２８は、記録すべき情報（データ）に応じてピクセル毎に振幅が変調され、又は変調されないようにされている。
【００２７】
ここで、一般的には、記録されるデータページのＯＮピクセル比率（全ピクセルに対するＯＮピクセル、即ちレーザ光を通過させるピクセルの比率）が全てのページで一定になるように符号化されている。
【００２８】
又、前記参照光学系１６における位相空間光変調器２４は、一部のピクセルを変調ピクセルとしてその位相を変調させることにより、参照光を空間変調し、ホログラフィック記録媒体１２に記録されるデータページのアドレスとなる位相分布を与えるものであり、これによって、位相コード多重記録となるようにされている。
【００２９】
例えば、図２（Ａ）、（Ｂ）、（Ｃ）に示されるように、該位相空間光変調器２４の各ピクセルに位相差を与えることによって、ホログラフィック記録媒体１２に記録されたホログラムにアドレスを割り振るものである。
【００３０】
図２（Ａ）〜（Ｃ）において、斜線で示されるピクセルと白抜きで示されたピクセルとでは、それぞれのピクセルを通過したレーザ光の間に、π即ち１／２波長分の位相差が与えられることを示している。
【００３１】
ここで、位相空間光変調器２４は、通過するレーザ光の位相にのみ空間分布を与えるもので、その振幅は変化させない。従って、レーザ光全体としてのエネルギー損失が発生しない。
【００３２】
次に、前記記録光学系１０によってホログラフィック記録されたホログラフィック記録媒体１２の記録を再生するためのホログラフィック再生装置４０を図３を参照して説明する。
【００３３】
このホログラフィック再生装置４０は、レーザダイオード４２と、このレーザダイオード４２から出射されたレーザ光を位相変調する再生用位相空間光変調器４４と、フーリエレンズ４６と、を備えている。
【００３４】
又、前記フーリエレンズ４６を通ったレーザ光が、前記ホログラフィック記録媒体１２に照射されて発生した回折光を受光するＣＣＤ４８と、このＣＣＤ４８とホログラフィック記録媒体１２との間に配置された逆フーリエレンズ５０と、前記ホログラフィック記録媒体１２を透過したレーザ光の光量を検出するための光検出器５２と、この光検出器５２の出力に基づいて、該出力が最小となるように、前記レーザダイオード４２を制御するためのスペクトル制御装置５４とを備えている。
【００３５】
前記スペクトル制御装置５４は、前記レーザダイオード４２の出射する再生用レーザ光の縦モード波形をマルチモード化するものであって、図４に示されるように、高周波重畳回路５６を含んで構成されている。
【００３６】
この高周波重畳回路５６は、前記レーザダイオード４２を含み、その信号発生器として、発振回路５８と、インピーダンス整合回路６０を有して構成されている。
【００３７】
前記インピーダンス整合回路６０は、発振回路５８の出力インピーダンスをレーザダイオード４２のインピーダンスに変換するためのものであり、発振回路５８の出力を効率良くレーザダイオード４２に伝達すると共に、レーザダイオード４２に接続されるＡＰＣ回路６２から出力される直流電流をカットするようにされている。
【００３８】
前記高周波重畳回路５６は、レーザ光の過渡特性を利用して、縦モード波形をマルチモード化するものである。
【００３９】
更に詳細には、レーザダイオード４２の光出力のＯＮ時間が信号発生器（発振回路５８とインピーダンス整合回路６０）の周波数が高いほど短く、又ＯＮ時間が短いほどレーザダイオード４２における縦モード数が多いことから、マルチモードの状態を連続させるために、信号発生器の周波数を数百ＭＨｚにしてレーザダイオード４２の光出力をＯＮ、ＯＦＦさせるものである。
【００４０】
この実施例１においては、ホログラフィック記録媒体１２に記録用レーザ光源１４からのレーザ光によってホログラフィック記録をする場合、該レーザ光の波長とレーザ出力の関係は、図５（Ａ）に示されるように、ほとんどスペクトル線幅の無い状態で、波長λｗレーザ光が出射される。
【００４１】
又、記録用レーザ光源１４のために、レーザダイオードを用いる場合は、図５（Ｂ）に示されるように、スペクトル線幅の狭い単一モードで発振させる。このためには、例えば閾値電流より十分に大きな電流を印加したり、あるいは、分布帰還型レーザ、ブラッグ反射型レーザ、面発光レーザ等を用いるとよい。
【００４２】
ホログラフィック記録媒体１２に記録されたデータ等を再生する場合は、図３に示されるホログラフィック再生装置４０を用いるが、ここでは、レーザダイオード４２からの再生用レーザ光をホログラフィック記録媒体１２に照射して得られた回折光は、逆フーリエレンズ５０を介してＣＣＤ４８に入射される。又、ホログラフィック記録媒体１２を透過したレーザ光は、光検出器５２に入射し、その光強度が検出される。
【００４３】
前記スペクトル制御装置５４は、この光検出器５２からの出力に基づいて、該出力が最小となるように、レーザダイオード４２を制御する。具体的には、高周波重畳回路５６を用いて、レーザダイオード４２のＯＮ時間を増減させる。レーザダイオード４２の縦モード波形は、ＯＮ時間が長いほどそのモード数が減少するが、各縦モード波形の波長も変化する。
【００４４】
従って、ＯＮ時間を制御することによって、図５（Ｃ）に示されるように、縦モード波形の１つの波長が、前記記録用レーザ光源１４のレーザ光の波長と一致するとき、ホログラフィック記録媒体１２における回折効率が最大となる。
【実施例２】
【００４５】
次に、図６を参照して、本発明の実施例２に係るホログラフィック再生装置７０について説明する。
【００４６】
このホログラフィック再生装置７０は、前記ホログラフィック再生装置４０に対して、スペクトル制御装置５４と異なる第２スペクトル制御装置７２を設けたものである。
【００４７】
他の構成は、前記ホログラフィック再生装置４０と同一であるので、同一部分に同一符号を付することにより説明を省略するものとする。
【００４８】
この実施例２における第２スペクトル制御装置７２は、レーザダイオード４２から出射された再生用レーザ光を、記録時の参照光と同じ位相パターンとなるように空間変調する再生用位相空間光変調器４４における、変調ピクセルの単位を変化させるピクセル制御装置から構成されている。
【００４９】
更に詳細には、ＣＣＤ４８に受光された、ホログラフィック記録媒体１２からの回折光量が最大となるように、前記再生用位相空間光変調器４４における変調ピクセルの単位を変化させるようにしたものである。
【００５０】
これを、図２に戻って説明すると、例えば、図２（Ｂ）に示される位相コードを用いて、波長λのレーザ光によって記録光学系１０によりホログラフィック記録媒体１２に干渉縞が記録された場合を考える。
【００５１】
なお、位相コードの変調ピクセル単位は、必ずしも位相空間光変調器２４の単位ピクセル（図２において最小の正方形）である必要はなく、図２（Ａ）、（Ｂ）、（Ｃ）においてはそれぞれ５×５、６×６、７×７ピクセルが変調ピクセル単位とされている。
【００５２】
ここで、記録用として波長λのレーザ光と、図２（Ｂ）に示される位相コードを用いて、ホログラフィック記録媒体１２に位相コード多重記録を行なう場合を考える。
【００５３】
Ｖol．１６，Ｎo．３／Ｍarch  １９９９／Ｊ．Ｏpt．Ｓoc．Ａm．Ａ  ｐ５６３〜５６４によれば、記録再生時のクロストークを最小にする変調ピクセルの周期は、参照用レーザ光の波長によって変化することが知られている。即ち、位相コードの変調単位（位相コードパターンの最大周波数）がレーザ光の波長やレーザ光の入射角と同様にブラッグ条件に対するパラメータとして機能することになる。
【００５４】
従って、前記位相コードの変調単位を変化させることによって、ブラッグ条件を変化させ、即ち波長シフトを補償することができる。
【００５５】
次に、上記実施例２における第２スペクトル制御装置により、レーザダイオード４２の再生用レーザ光の波長シフトを実際に検出して、前記再生用位相空間光変調器４４における位相コードの変調単位を変化させて、波長シフトを補償する過程について説明する。
【００５６】
前述のように、前記図２（Ａ）〜（Ｃ）に示されるようなデータページのＯＮピクセル比率は全てのページで一定になるように符号化されているので、再生時にＣＣＤ４８が検出すべき全光量は、再生レーザ光強度×光学系の伝搬効率×ホログラム当たりの回折効率×ＯＮピクセル比率より予め分かっている。従って、ＣＣＤ４８で検出される全光量をモニタすれば、再生用レーザ光の発振波長を含めたセッティングが、ホログラフィック記録媒体１２におけるブラッグ条件をどの程度満足しているかを知ることができる。
【００５７】
ブラッグ条件が完全に充足されていない場合、即ちＣＣＤ４８における全検出光量が予想される規定値より少ない場合、再生用レーザ光の波長が記録時のレーザ光の波長からずれていると考えられる。これに対して、前述のように、再生用位相空間光変調器４４における位相コードの変調ピクセル単位を変化させることによって再生用レーザ光の波長シフトを補償することができる。
【００５８】
実際には、例えば変調ピクセル単位を増加させて、ＣＣＤ４８において検出される光量が増大すれば、それが最大値に近づくまで変調ピクセル単位を増加させ続け、検出光量が減少すれば変調ピクセル単位を減少させる、といったアルゴリズムに従って、第２スペクトル制御装置７２においてサーボ制御を行なえばよい。
【００５９】
再生用レーザ光の、ホログラフィック記録媒体１２におけるブラッグ条件からのずれが再生用レーザ光の波長シフトに起因する場合、前述のような位相コードによるブラッグ条件の補償は異なるデータページ（ホログラム）についても普遍的に成り立つと考えられ、再生動作を繰り返すうちに、ＣＣＤ４８によって得られる再生光量が減少してきたときには、再び補償動作を行なえばよい。
【００６０】
このような位相コード変調によるブラッグ条件の補償方法であれば、記録時のレーザ光の波長に対して、再生用レーザ光の波長が長波長側へシフトしたか短波長側へシフトしたかに拘わらず、あるいはホログラフィック記録媒体のセッティングや光学系の変動によって、ブラッグ条件が変化したのかに拘わらず、変調ピクセル単位によってできる範囲内での補償が可能である。
【００６１】
なお、位相コードによってホログラムを多重記録する場合、Ａpplied  Ｏptics／Ｖol．３９，Ｎo．２３／１０  Ａugust  ２０００，ｐ４１６０〜４１６６によれば、理論的には３２×３２ピクセルの変調ピクセルによって、数学的に直交する向きの位相コードを約４３億通り形成することができ、実用上十分な数である。一方、現在入手可能な位相空間光変調器は数十万〜数百万ピクセルのものがあり、例えば１０２４×１０２４ピクセルの位相空間光変調器で、３２×３２の変調ピクセルからなる位相コードを形成したとすると、１つの変調ピクセルは３２×３２＝１０２４ピクセルを含んでいることになり、図２の例よりも繊細な制御が可能である。
【実施例３】
【００６２】
上記実施例１、２は、記録用レーザ光源により記録されたホログラフィック記録媒体をホログラフィック再生装置により再生する場合のものであるが、本発明はこれに限定されず、例えば図７に示される実施例３のように、記録時と再生時に同一のレーザダイオードを用いてもよい。
【００６３】
この場合、実施例３のホログラフィック記録再生装置８０では、図１の記録光学系１０の光学システムにおける記録用レーザ光源１４に代えて、図３に示されるような、スペクトル制御装置５４により制御されるレーザダイオード８２を用い、記録時は、レーザダイオード８２をシングルモード発振とし、再生時には図３の場合と同様にマルチモード発振とする。
【００６４】
他の構成は、図１、図３におけると同一部分については、これらと同一符号を付することにより説明を省略するものとする。
【実施例４】
【００６５】
又、図８に示される実施例４に係るホログラフィック記録再生装置９０のように、図１に示される記録光学系１０に対して、再生用レーザダイオード９２を加え、これをスペクトル制御装置５４によりマルチモード発振させてもよい。
【図面の簡単な説明】
【００６６】
【図１】本発明の実施例１に係るホログラフィック記録方法に用いる記録光学系を示す光学系統図
【図２】同記録光学系及び再生光学系で用いられる位相空間光変調器におけるデータページでのピクセルの状態を模式的に示す平面図
【図３】同実施例１におけるホログラフィック再生装置を示す光学系統図
【図４】同ホログラフィック再生装置におけるスペクトル制御装置を示す回路図
【図５】同実施例１のホログラフィック記録再生方法における記録時及び再生時のレーザ光の波長とレーザ出力との関係を示す線図
【図６】本発明の実施例２に係るホログラフィック再生装置を示す光学系統図
【図７】本発明の実施例３に係るホログラフィック記録再生装置を示す光学系統図
【図８】本発明の実施例４に係るホログラフィック記録再生装置を示す光学系統図
【符号の説明】
【００６７】
１０…記録光学系
１２…ホログラフィック記録媒体
１４…記録用レーザ光源
１６…参照光学系
１８…物体光学系
２４…位相空間光変調器
２８…振幅空間光変調器
４０、７０…ホログラフィック再生装置
４２、８２、９２…レーザダイオード
４４…再生用位相空間光変調器
４８…ＣＣＤ
５２…光検出器
５４…スペクトル制御装置
５６…高周波重畳回路
７２…第２スペクトル制御装置
８０、９０…ホログラフィック記録再生装置
【図１】
2005084298.tif 000003
【図２】
2005084298.tif 000004
【図３】
2005084298.tif 000005
【図４】
2005084298.tif 000006
【図５】
2005084298.tif 000007
【図６】
2005084298.tif 000008
【図７】
2005084298.tif 000009
【図８】
2005084298.tif 000010